(57)【要約】【課題】車両に乗車したまま、人間を相手に囲碁将棋などの、盤ゲームができる方法を提供する。【課題を解決するための手段】受け付と駐車場があり、受付で粘着や吸着する駒または石を顧客に貸し出し、駐車場で顧客に盤ゲーム対戦サービスをさせる。【選択図】図１
2011245251.tif 000002
【特許請求の範囲】
【請求項１】
ゲーム盤が印刷された透明フイルムと、粘着や吸着する駒または石からなる、貼り剥がせる、ゲーム用具。
【請求項２】
ゲーム盤が印刷された透明フイルムを片面に貼った透明板からなり、透明板の両側からスポンジなどを貼り遊ぶための、縦型のゲーム盤。
【請求項３】
受け付と駐車場があり、受付で粘着や吸着する駒または石を顧客に貸し出し、駐車場で顧客に盤ゲーム対戦サービスをさせる店舗。
【請求項４】
アクリルスポンジなどのプラスチックに自己粘着部分を周囲に残して、中央にシール貼るか、または印刷した、ゲーム用の駒または石。
【発明の詳細な説明】
【技術分野】
【０００１】本発明は人と人が対戦する、囲碁・将棋・五目並べ・チエスなど盤と駒や石を利用して遊ぶ、透明板の裏表を利用した盤ゲームに関する。
詳しくは、透明板を介在し、両側から対戦して遊ぶ盤ゲームに関する。
【背景技術】
【０００２】古来より、碁盤や将棋盤などがある。マグネットを利用するものもある。盤ゲームとしては囲碁、五目並べ、二抜き五目、将棋が遊戯人口が多い。
近年インターネット対局の普及で人間と人間が対戦する機会は減ってる。【０００３】近年、アクリルスポンジなどが開発された。これは、ガラス、ビニル、紙、陶磁器、金属などの滑面の目的物に自己粘着により繰り返し貼りはがせる。
粘着、吸着などの機能がある素材は多数あり、貼り剥がしを繰り返せる。
【先行技術文献】
【０００４】
【特許文献１】実用新案公開平７−５４３１
【特許文献２】特許公開２００８−９４０７０
【発明の開示】
【発明が解決しようとする課題】
【０００５】車両に乗車したまま、人間同士が盤でゲームができる方法を提供する。すなわち、駐車場などを利用して、車に乗ったままで車外の相手と顔を見ながら対戦ができる方法を提供する。
【課題を解決するための手段】
【０００６】本発明者は、上記課題を解決するために、ガラスなどの透明板の両面を使い、ゲームをすればよいことを見出した。
運転席の窓ガラスを盤として窓ガラスを間にして、窓ガラスに吸着や粘着する駒石を利用して対戦すればよい。または、盤にする透明板を縦にして車の外におき、吸着や粘着する駒石を利用して対戦すればよい。
ガラスなどに吸着粘着する素材は多い。濡れたスポンジでもそうだが、アクリルスポンジなど各種のものがある。
これを駒や石にして囲碁・将棋・五目並べ・チエスなど遊べる。
図１に示す如く透明板の片面に盤を印刷した透明フイルムを貼る。そして両面から駒や石を貼りゲームを行う。
図１において、１は透明板、２は盤を印刷した透明フイルム、３は駒や石である。
以下詳しく述べる。【０００７】アクリルスポンジなどのガラスやプラスチックに貼りはがせるものを駒や石にする。碁石のような白黒などはそのまま丸にカットして使用できる。
図２に示すように、駒などは、粘着部分を周囲に残して、シールを中央に貼ればよい。またはゴム印で印刷してもいい。
スポンジなので弾性があり、ガラスなどに押し付ければ周囲の粘着部分で貼れる。【０００８】盤は透明フイルムに罫線印刷し、升目を設ける。碁盤や将棋盤などの盤模様を印刷する。このフイルムを運転席の窓ガラスに貼る。
枠をアクリルスポンジで加工し、不要時は剥がせるようにするのが望ましい。これを盤にして上述した駒や石を使いゲームができる。
図１に示すように対局者は、透明板の両側から駒や石を盤に貼りながら対戦できる。捕獲した駒や石は窓に貼る。
成り駒は、前の絵柄にシールを貼るか、成り駒のスポンジと交換してゲームを進める。【０００９】運転席の窓を利用しない方法もある。盤にする透明板を縦にして盤模様印刷したフイルムを貼る。
図５に示すように脚やキャスターをつける。【００１０】上記の手段により車両に乗車したまま、人間同士が盤でゲームができる。
店舗でビジネスの場合、受付で「ゲーム盤フイルムを貼った透明板からなり、透明板の両側からスポンジなどを貼り遊ぶ、縦型のゲーム盤」
または、「車などの窓ガラスに貼る、ゲーム盤フイルム」を貸し出す。
対戦相手を紹介し、駐車場で顧客は盤ゲーム対戦サービスを提供される。【００１１】２台の車両が平行に向かい合い、運転席同士で対戦する。一人は運転席で、対戦相手は車の横に椅子に座ってもよい。
【発明の効果】
【００１２】図４に示すように、車両に乗車したまま、人間同士が盤でゲームができる。図１に示すように透明板の両側から視認する駒や石は同じにできる。【００１３】車２台の間に指導者がいれば、顧客を運転席に座らせ、図６のように指導対局もできる。
病弱者や障害者を助手席に座らせても、車外の人と盤ゲームさせることができる。【００１４】駐車場で盤ゲームクラブや大会ができる。利用者は車で店に行き、運転席にいながら盤ゲームができる。
病気の人とは窓ガラスを介在させるので、咳などされても安心ができる。部屋の窓ガラスを利用すれば、家の中に入れないで他人と盤ゲームができる。【００１５】透明板を縦利用の盤ゲームであるので、ベッドで寝たままでも、囲碁将棋などの伝統的なゲームなどを遊戯できる。
スポンジの中央の絵柄を自由に変えて透明板に貼れるので、創作ゲームに応用できる。
カウンターのガラス仕切りフイルムを貼れば、従来の碁盤などは無くても囲碁などの遊戯ができる。
【発明を実施するための最良の形態】
【００１６】透明フイルムに碁盤や将棋盤の罫線図を印刷する。これを窓ガラスなどに貼る。
貼り剥がしやすくするために図３に示す如く周辺をアクリルスポンジの枠を付ける。
セロテープで窓ガラスに貼ってもよい。対局した後は、窓ガラスから剥がせるようにするのが好ましい。【００１７】２ミリ厚のアクリルスポンジを駒または石にする。
白や黒色アクリルスポンジを丸に打ち抜く。または、アクリルスポンジを四角に切断する。
図２に示す如く中央に駒や石の図柄シールを貼る。周辺の部分を残せば吸着機能はある。
【実施例】
【００１８】図４に示す如く、２台の車はすれ違いの形で駐車する。片方の運転席の窓ガラスに盤を印刷した透明フイルムを貼る。
他方の車の運転席の窓ガラスを開ける。窓ガラスを開け方は、運転席から手を出して盤に、駒や石を貼りゲームを進行する。
両名とも運転席に乗ったまま、互いの顔を見ながらゲームができる。【００１９】図６に示す如く、２台の車はすれ違いの形で駐車する。図のように運転席の側面に、ゲーム盤を置く。人間が椅子など座って配置される。
中央にいる人間は指導者であり、２面打ちで相手ができる。顧客は車から降りないで運転席に乗ったまま、指導対局を受けることができる。
【産業上の利用可能性】
【００２０】本発明は産業上利用できる。
【図面の簡単な説明】
【００２１】
【図１】は本発明に係わるゲーム盤の側面図。
【図２】ａは駒の正面図、ｂは駒の側面図。
【図３】は盤を印刷した透明フイルムの正面図。
【図４】は対局時の説明の平面図
【図５】は本発明に係わるゲーム盤の正面図。
【図６】は対局時の説明の平面図
【符合の説明】
【００２２】  １  透明板
２  盤を印刷した透明フイルム、
３  駒や石。
３１  自己粘着スポンジ
３２  駒や石の印刷体
３３  粘着部
４  盤図
５  枠
６  車
７  人間
８  脚
９  キャスター
１０  本発明に係わる縦型のゲーム盤
１１  人間
【図１】
2011245251.tif 000003
【図２】
2011245251.tif 000004
【図３】
2011245251.tif 000005
【図４】
2011245251.tif 000006
【図５】
2011245251.tif 000007
【図６】
2011245251.tif 000008